(57)【特許請求の範囲】
【請求項１】
データを記録するトラックがウォブルされて形成されている光ディスクであって、
前記トラックの溝幅及び溝間幅は各々略一定であり、
前記ウォブルは、光ディスクを線速度一定で回転した時には、内周から外周にわたり略一定の周波数が得られるように形成されており、
前記トラックは、光ディスクの１回転に１回、径方向に亘って配置されている全ての前記ウォブルの位相を揃えたものであることを特徴とする光ディスク。
【請求項２】
データを記録するトラックがウォブルされて形成されている光ディスクであって、
前記トラックの溝幅及び溝間幅は各々略一定であり、
前記ウォブルは、光ディスクを線速度一定で回転した時には、内周から外周にわたり略一定の周波数が得られるように形成されており、
前記トラックは、光ディスクの１回転に少なくとも２回、径方向に亘って配置されている全ての前記ウォブルの位相を等角度間隔で揃えたものであることを特徴とする光ディスク。
【請求項３】
請求項１又は請求項２に記載の光ディスクであって、
前記ウォブルは、ウォブリングの周期より短い周期の多重化マークを、アドレス情報のデータビットの態様に応じて重畳してなることを特徴とする光ディスク。
【請求項４】
請求項３に記載の光ディスクであって、
前記多重化マークは、前記ウォブルの周期毎に少なくとも１周期多重されていることを特徴とする光ディスク。
【請求項５】
請求項３又は請求項４に記載の光ディスクにデータを記録再生する光ディスク記録再生装置であって、
回転する光ディスクを記録再生走査して得た信号から前記ウォブルに対応したウォブリング信号を検出して同期信号を出力する第１の検出手段と、
回転する光ディスクを記録再生走査して得た前記信号から前記多重化マークを検出出力する第２の検出手段と、
前記同期信号に対応して前記多重化マークを復調し、前記アドレス情報を読み取るアドレス情報読取手段とを備え、
前記同期信号に基づいて光ディスクの回転制御を線速度一定で行うと共に、前記アドレス情報に基づいて、データの記録再生を行うことを特徴とする光ディスク記録再生装置。
【請求項６】
請求項３又は請求項４に記載の光ディスクにデータを記録再生する光ディスク記録再生方法であって、
回転する光ディスクを記録再生走査して得た信号から前記ウォブルに対応したウォブリング信号を検出して同期信号を出力する第１の検出手順と、
回転する光ディスクを記録再生走査して得た前記信号から前記多重化マークを検出出力する第２の検出手順と、
前記同期信号に対応して前記多重化マークを復調し、前記アドレス情報を読み取るアドレス情報読取手順とを備え、
前記同期信号に基づいて光ディスクの回転制御を線速度一定で行うと共に、前記アドレス情報に基づいて、データの記録再生を行うことを特徴とする光ディスク記録再生方法。
【請求項７】
請求項１又は請求項２に記載の光ディスクの原盤を製造する光ディスク原盤製造装置であって、
略一定の周波数を有するクロックを波形整形し、かつ原盤の１回転当り少なくとも１回、位相が所定値にセットし直される同期ウォブル信号で露光用レーザ光を光偏向して得た光偏向露光用レーザ光を出力する光偏向手段と、
前記光偏向露光用レーザ光を用いて、前記原盤上に前記ウォブルを形成することを特徴とする光ディスク原盤製造装置。
【発明の詳細な説明】
【０００１】
【発明の属する技術分野】
本発明は、プリグルーブをウォブリングしてスピンドル回転制御情報とアドレス情報とが記録されている記録可能型光ディスク、この光ディスクからスピンドル回転制御情報とアドレス情報とを読み出してここにデータを高密度に記録再生する光ディスク記録再生装置、光ディスク記録再生方法、この光ディスクの原盤を製造する光ディスク原盤製造装置に関する。
【０００２】
【従来の技術】
近年、光ディスクの高密度化に関する技術開発が盛んになっている。この技術分野では、面記録密度を上げるために、トラックピッチを小さくすることで対応している。例えば、ＣＤ（コンパクトディスク）のトラックピッチは、１．６μｍであるのに対して、ＤＶＤ（デジタル・ビデオ・ディスク）では、その半分以下の０．７４μｍである。このＤＶＤの書き換え可能型であるＤＶＤ−ＲＡＭディスクを実現する方法として、従来はトラッキング用の案内溝（グルーブ）上か、案内溝の間（ランド）だけに記録していた記録マークを、グルーブとランドの両方に記録することにより、従来と同じグルーブピッチで２倍の記録密度が得られるようにした「ランド＆グルーブ」記録方式が、開発されている。
【０００３】
ところで、ＣＤは、ＣＬＶ（線速度一定）で記録ピットが形成されている。この場合のＣＤの再生には、記録ピットの再生周波数が一定になるように回転モータの回転数を制御すればよいので、比較的簡単である。しかし、記録可能ディスクに記録する場合、一般には記録前には記録信号が存在しないので、ＣＬＶ制御が困難である。そこで、グルーブを一定の空間周波数でディスク半径方向に蛇行（ウォブリング）させておき、データ記録時の回転制御では、このウォブリング信号の周波数が一定になるように回転制御を行う方式が開発されている。この方式は、記録可能ＣＤ（ＣＤ−Ｒ）やミニディスク（ＭＤ）などで用いられている。
【０００４】
ところが、先の「ランド＆グルーブ」記録方式の場合には、ランド上ではグルーブのウォブリング信号が得られないので、回転制御が行えない。このような問題を解決する一つの方法として、アドレス情報をランドとグルーブの中間に予めプリピットとして刻んでおけば、ランドからもグルーブからもアドレス情報が得られるようにした装置も提案されている（例えば特開平６−１７６４０４号公報）。
【０００５】
ところが、ＣＬＶ回転制御の方法については、述べられていない。勿論、回転モータにある程度精密な回転エンコーダを取り付け、このエンコーダからの信号によってＣＬＶ制御を行うことは可能であるが、このようなエンコーダはコストが高い、という難点がある。なお、アドレスピットの再生信号の周波数などに基いて回転制御を行うことは可能であるが、アドレス領域は離散的に配置されているので、回転制御情報は離散的にしか得られず、精密な制御は難かしい。また、ランダムアクセス時には、速やかに線速度を合わせる必要があるが、制御情報が離散的であることから、高速な変速制御が困難である、という問題もある。
【０００６】
次に、別の技術として、ゾーンＣＡＶ（ＺＣＡＶ＝ＭＣＡＶ）とゾーンＣＬＶ（ＺＣＬＶ＝ＭＣＬＶ）方式についても、公知である（例えば特開平７−１１４７３３号公報）。この両者は、ディスクフォーマットとしては同一で、装置側が全周にわたってＣＡＶ（角速度一定）で回転させるか、外周ゾーンほど回転数を遅くしてほぼＣＬＶ（線速度一定）とするか、の違いがあるだけであり、いずれも各ゾーン内ではＣＡＶである。ＺＣＡＶは、外周側ほど線速度が大きいので、レーザパワーや記録パルス波形などの記録条件を全周同一にすることはできず、切り替え回路などを設けるために装置コストが上昇する。また、記録媒体の記録層の組成によっては、線速度が異なると、記録それ自体ができないこともある等の問題もある。
【０００７】
ＺＣＬＶは、記録マーク形成上は理想的であるが、回転数をゾーン毎に変化させなければならないので、ＣＡＶよりも制御が難かしい。この回転制御を、回転エンコーダで行うと（前記の特開平７−１１４７３３号公報）、先に述べたように、コストアップになる。アドレスピットを用いる方法も可能であるが、この場合には、前述したようにアクセス時の高速変速制御に難点がある。
【０００８】
【発明が解決しようとする課題】
先に述べた「ランド＆グルーブ」記録方式のディスクは、高密度記録が可能であるが、ランド上ではグルーブのウォブリング信号が得られないので、回転制御が行えないという問題が残されている。
本発明はこのような状況に鑑みてなされたものであり、スパイラルまたは同心円状の記録トラックであるランドにもグルーブにもデータを記録可能なディスクにおいて、高価な回転エンコーダを用いることなく、ランド上でもＣＬＶ回転制御を実現して、精密かつ高速な変速制御を可能にして高密度記録可能な光ディスクを提供することを目的とする。
【０００９】
【課題を解決するための手段】
上記目的を達成するための手段として、本発明は、下記（１）〜（７）の構成になる光ディスク、光ディスク記録再生装置、光ディスク記録再生方法、光ディスク原盤製造装置を提供する。
【００１０】
（１）  データを記録するトラックがウォブルされて形成されている光ディスクであって、
前記トラックの溝幅及び溝間幅は各々略一定であり、
前記ウォブルは、光ディスクを線速度一定で回転した時には、内周から外周にわたり略一定の周波数が得られるように形成されており、
前記トラックは、光ディスクの１回転に１回、径方向に亘って配置されている全ての前記ウォブルの位相を揃えたものであることを特徴とする光ディスク。
【００１１】
（２）  データを記録するトラックがウォブルされて形成されている光ディスクであって、
前記トラックの溝幅及び溝間幅は各々略一定であり、
前記ウォブルは、光ディスクを線速度一定で回転した時には、内周から外周にわたり略一定の周波数が得られるように形成されており、
前記トラックは、光ディスクの１回転に少なくとも２回、径方向に亘って配置されている全ての前記ウォブルの位相を等角度間隔で揃えたものであることを特徴とする光ディスク。
【００１２】
（３）  請求項１又は請求項２に記載の光ディスクであって、
前記ウォブルは、ウォブリングの周期より短い周期の多重化マークを、アドレス情報のデータビットの態様に応じて重畳してなることを特徴とする光ディスク。
【００１３】
（４）  請求項３に記載の光ディスクであって、
前記多重化マークは、前記ウォブルの周期毎に少なくとも１周期多重されていることを特徴とする光ディスク。
【００１４】
（５）  請求項３又は請求項４に記載の光ディスクにデータを記録再生する光ディスク記録再生装置であって、回転する光ディスクを記録再生走査して得た信号から前記ウォブルに対応したウォブリング信号を検出して同期信号を出力する第１の検出手段と、回転する光ディスクを記録再生走査して得た前記信号から前記多重化マークを検出出力する第２の検出手段と、前記同期信号に対応して前記多重化マークを復調し、前記アドレス情報を読み取るアドレス情報読取手段とを備え、前記同期信号に基づいて光ディスクの回転制御を線速度一定で行うと共に、前記アドレス情報に基づいて、データの記録再生を行うことを特徴とする光ディスク記録再生装置。
【００１５】
（６）  請求項３又は請求項４に記載の光ディスクにデータを記録再生する光ディスク記録再生方法であって、回転する光ディスクを記録再生走査して得た信号から前記ウォブルに対応したウォブリング信号を検出して同期信号を出力する第１の検出手順と、回転する光ディスクを記録再生走査して得た前記信号から前記多重化マークを検出出力する第２の検出手順と、前記同期信号に対応して前記多重化マークを復調し、前記アドレス情報を読み取るアドレス情報読取手順とを備え、前記同期信号に基づいて光ディスクの回転制御を線速度一定で行うと共に、前記アドレス情報に基づいて、データの記録再生を行うことを特徴とする光ディスク記録再生方法。
【００１６】
（７）  請求項１又は請求項２に記載の光ディスクの原盤を製造する光ディスク原盤製造装置であって、
略一定の周波数を有するクロックを波形整形し、かつ原盤の１回転当り少なくとも１回、位相が所定値にセットし直される同期ウォブル信号で露光用レーザ光を光偏向して得た光偏向露光用レーザ光を出力する光偏向手段と、
前記光偏向露光用レーザ光を用いて、前記原盤上に前記ウォブルを形成することを特徴とする光ディスク原盤製造装置。
【００１７】
【発明の実施の態様】
以下、本発明の光ディスク、光ディスク記録再生装置、光ディスク記録再生方法、光ディスク原盤製造装置について、図１〜図８を用いて説明する。
本発明の光ディスクは、高価な回転エンコーダが不要で、ＣＬＶ回転制御を実現させ、精密かつ高速な変速制御を可能にすると共に、グルーブ上でもランド上でも、ＣＬＶ回転制御を可能にした光ディスク記録媒体を提供する点に特徴を有している。
【００１８】
最初に、本発明の光ディスク記録媒体について説明する。
図１は、本発明の光ディスクの構成を表している。同図（Ａ）に示すように、光ディスク１には、データを記録するトラックであるプリグルーブ２がスパイラル状に内周から外周に向かって予め形成されている。スパイラルの方向は外周から内周に向かって形成されても構わないし、同心円状でも構わない。グルーブ  （案内溝）２の幅は一定であり、ランド（案内溝間）３の幅も一定に形成されている。
【００１９】
また、このグルーブ２には、同図（Ｂ）のグルーブ及びランドの拡大図にも示すように、その左右の側壁ｗが、同期信号の周波数でウォブリングされ、所定の周期（例えば７５μｍ）で蛇行している。
【００２０】
また、記録方法としては、グルーブ及びランドを併用して、グルーブＧとランドＬの両方にデータを記録することが可能である。あるいはグルーブＧだけを記録トラックとして使用してデータの記録を行うことも可能である。グルーブピッチは、例えば１．２μｍ程度であり、グルーブＧは半径方向に微小量ウォブリングしている。ウォブリングの振幅は、例えば０．０１μｍ程度で、本来のトラッキングに影響を与えないように、グルーブピッチに比べて十分に小さくするのが好ましい。このようなウォブリングの繰り返し周波数は、この光ディスク記録媒体１をＣＬＶ（線速度一定）で回転したとき一定の周波数となるように設定する。
【００２１】
また、空間周波数（単位線方向の長さ当り、何回ウォブリングしているかの回数）は、ほぼ一定となるように設定しておく。光ディスク１をＣＬＶで回転した時には、最内周から最外周までグルーブの空間周波数は等しくされている。この空間周波数も、本来のトラッキングに影響を与えないように、実際に記録回転数で回転駆動したとき、トラッキングサーボ帯域（一般には数ＫＨｚ）よりも十分に高い周波数になるようにするのが好ましい。
【００２２】
図２は光ディスク１のトラックウォブリングを１回転に１回、位相合わせ箇所ｐで、ディスクの径方向に隣接するトラックのウォブリングの開始位相を揃えた一実施例を表している。例えばグルーブトラックのグルーブピッチが１．２μｍなら、隣接するグルーブトラックの１周当りの長さの差は、１．２μｍ×２π＝約７．５μｍである。また、ウォブル周期が７５μｍなら、隣接するトラックのウォブルの位相は、最大３６０°×７．５μｍ／７５μｍ＝３６°の位相差となる。隣接するトラックの１周当りの長さの差によるウォブル周期の位相差が３６°程度であれば、ランドトラックを走査したときでも、グルーブトラックを走査したときと同様の安定したウォブル信号が得られる。このことから、図２に示すように、光ディスク１の１回転に１回、位相合わせ箇所ｐで、隣接するトラックのウォブルの開始位相を揃えた（ウォブル周期の位相差が最大でも３６°となるようにした）のである。
【００２３】
図３は光ディスク１のトラックウォブリングを１回転に１回、ディスクの径方向に隣接するウォブリングの位相を、位相合わせ箇所ｐで揃えた揃えた他の実施例を表している。ウォブルの開始位相を揃える際に緩やかに変化させた例を示している。
【００２４】
光ディスク１のトラックウォブリングを、光ディスクの１回転に少なくとも１回以上（２回以上）、等角度間隔でディスクの径方向に隣接するトラックのウォブリングの開始位相を揃える場合は、図２あるいは図３に示すように行われる。例えば、トラック１周中にウォブルの開始位相を１０個所で揃える場合は、例えばウォブル周期が７５μｍなら、隣接するトラックのウォブルの位相は、最大３６０°×７．５μｍ／７５μｍ／１０＝３．６°の位相差である。このように、等角度（３６°）間隔でディスクの径方向に隣接するトラックのウォブリングの開始位相を内周から外周までほぼ揃う（ウォブル周期の位相差３．６°で揃う）ことになる。
【００２５】
図４は、プリグルーブを有する光ディスク１を製造するための本発明の光ディスク原盤製造装置Ａの構成例を表している。ウォブリング生成回路Ａ１は、略一定の周波数を有するクロックを波形整形した、例えば１周期が３μｓの連続した正弦波信号（同期ウォブル信号）を、アンプＡ２を介して光偏向器Ａ３に出力する。光偏向器Ａ３はこの同期ウォブル信号で露光用レーザ光を光偏向して得た光偏向露光用レーザ光を、ミラーＡＭ、対物レンズＡ６を介して原盤ＡＤ上に照射する。モータＡ４は原盤ＡＤをＣＬＶで回転する。このモータＡ４の回転数は周波数発生器ＦＧで検出され、分周器Ａ５で分周されて、原盤ＡＤの１回転に対応した回転信号あるいは原盤ＡＤの１回転当りの等角度間隔に対応した等角度信号としてウォブリング生成回路Ａ１に供給される。ウォブリング生成回路Ａ１は、この回転信号あるいは等角度信号にウォブルの開始位相を同期合わせした同期ウォブル信号を出力する。即ち、同期ウォブル信号は原盤ＡＤの１回転に１回あるいは１回以上の間隔で、その開始位相が揃えられるように出力される。こうして、原盤ＡＤには、原盤ＡＤ１回転に１回あるいは１回以上の間隔で、その開始位相が揃えられたウォブルが形成される。
【００２６】
前記したウォブリング生成回路Ａ１は、図６に示す回路で構成される。前記したクロックが入力されるカウンタは、原盤ＡＤの１回転に１回あるいは１回以上の間隔で、繰り返しリセットされる。このカウンタから出力する図７に示すパルスはリセットｒ部分で、再カウントが開始されるものとなる。ＬＰＦ（Low Pass Filter ）はこのパルスを正弦波信号（同期ウォブル信号）として生成出力する。こうして、同期ウォブル信号は周期的に位相の修正が図られる。図７は図６におけるＬＰＦの直前のパルス信号の一例を表している。
【００２７】
さて、図１０に示すように、上述した構成の光ディスク１のグルーブＧに、多重化マークＭがアドレス情報に対応して予め形成されていることについて説明する。グルーブ２には、同期信号（同期信号ウォブルＳ）に対応したウォブリング周期より短い周期の多重化マークＭが重畳されている。また、多重化マークは、１ウォブリング周期に少なくとも１周期の高周波ウォブルとして多重されている。この多重化マークＭは、アドレス情報のデータビットの態様に応じて形成され、また、グルーブ２内にデータの記録に対応して形成されるマークとは識別できる形態とされる。この多重化マークＭはグルーブ２の左右側壁の一方に形成されている。
【００２８】
同図においては、この多重化マークＭはプリグルーブＧの左右側壁の一方に形成されるため、グルーブ／ランド兼用アドレスとして、グルーブトラックを走査している場合でも、ランドＬを走査している場合でも、この多重化マークＭを検出してそこからアドレス情報のデータビットを読み出すことができる。
【００２９】
図１１は、多重化マークＭが形成されたプリグルーブ２を有する光ディスク１の原盤を製造するための光ディスク原盤製造装置Ｃの構成例を表している。マスタークロックを分周器Ｃ１で分周して、例えば１周期が３μｓの連続信号を生成し、ＬＰＦ(Low Pass Filter）などから構成される低周波ウォブリング信号発生回路Ｃ２で正弦波に整形された同期信号用ウォブリング信号（同期ウォブル信号）は、光偏向器駆動用アンプＣ３を介して第１の光偏向器Ｃ４を駆動する。第１の光偏向器Ｃ４はレーザ光を同期ウォブル信号で光偏向して得た第１の光偏向露光用レーザ光を第２の光偏向器Ｃ９へ出力する。
【００３０】
バイフェイズ変調回路Ｃ５には、マスタークロックを分周器Ｃ６で分周して分周した信号とアドレス情報が供給されている。バイフェイズ変調回路Ｃ５はアドレス情報の変調データビット（”１”，”０”で表されるアドレスデータビット。例えばＮＲＺ変調されたアドレス情報）に応じて、多重化マークＭに相当する高周波ウォブルの有無を決定し、アドレス用ウォブリング信号（バイフェイズ変調されたアドレス情報）を出力する。このアドレス用ウォブリング信号は、例えば１周期が１００ｎｓのパルス信号である。アドレス用ウォブリング信号は多重化マークパルス発生回路Ｃ７で高周波パルス信号に整形され、アドレス用ウォブリング信号（アドレス情報ウォブル信号）をアンプＣ８を介して、第２の光偏向器Ｃ９を駆動する。第２の光偏向器Ｃ９は、第１の光偏向器Ｃ４から供給されるレーザ光をアドレス情報ウォブル信号で光偏向する。対物レンズＣ１０を通過したレーザ光はトラックの左右側壁の内の一方の側壁にウォブルを形成するように、原盤ＡＤを露光する。スピンドルモータＣ１１は、原盤ＡＤを所定の速度で回転させるようになされている。
【００３１】
原盤ＡＤを現像し、この原盤ＡＤからスタンパを作成し、スタンパから多数のレプリカとしての光ディスク１（図１）を形成する。これにより、上述したアドレス情報のデータビットに対応して多重化マークＭが形成されたプリグルーブ２を有する光ディスク１が得られることになる。図１０に示すように、光ディスク１のプリグルーブ２の左右側壁の一方の側壁には多重化マークＭが高周波多重された同期信号ウォブルＳに対応してウォブルされる。他方の側壁には同期信号ウォブルＳだけが連続して形成される。
【００３２】
図５は、このようにして得られた光ディスク１に対して、データを記録再生する光ディスク記録再生装置の構成例を表している。光ディスク記録再生装置Ｂの光ヘッドＢ１は、線速度一定で回転させた光ディスク１に対してレーザ光を照射し、光ディスク１に対して記録データを記録し、また，その反射光から再生データを再生する。記録再生回路Ｂ２は、所定の方式でデータを変調するなどして、光ヘッドＢ１へ記録データを出力する。また、記録再生回路Ｂ２は、光ヘッドＢ１より入力された再生データを適宜復調して外部へ出力するようになされている。
【００３３】
同期信号検出回路（第１の検出手段）Ｂ４は、回転する光ディスク１を記録再生走査して得られた信号（再生ＲＦ信号）から前記ウォブルに対応したウォブリング信号を検出して、ＰＬＬ(Phase Locked Loop）などで安定したウォブル再生信号をバイフェイズ復調回路Ｂ５及びモータ制御回路Ｂ８へ出力する。モータ制御回路Ｂ８はこのウォブル再生信号に基づいて、スピンドルモータＢ９の回転をＣＬＶで制御するための回転制御信号をスピンドルモータＢ９へ出力する。こうして、スピンドルモータＢ９はＣＬＶで光ディスク１を回転する。一方、多重化マーク検出回路（第２の検出手段）Ｂ３は、前記した再生ＲＦ信号から多重化マークを検出し、バイフェイズ復調回路Ｂ５へ出力する。バイフェイズ復調回路Ｂ５は、同期信号検出回路Ｂ４から供給されるウォブル再生信号を用いて、多重化マーク検出回路Ｂ３から供給される多重化マークを復調する。即ち、同期ウォブル信号の周期に同期してバイフェイズ復調されたアドレス情報をアドレス読取回路（アドレス情報読取手段）Ｂ６へ出力する。アドレス読取回路Ｂ６はこのアドレス情報からアドレスデータビットを読み取り、その読取結果を送り制御回路Ｂ７に出力する。こうして，ウォブル再生信号は、ランド３でもグルーブ２でも同様に再生され、常に安定な同期信号とアドレス信号を得ることができる。
【００３４】
図８、図９はウォブル再生信号と、このウォブル再生信号を２値化した２値化信号の波形の２例を示している。図８（Ａ）、図９（Ａ）に示すように、位相を揃える個所（位相合わせ箇所）ｐ１，ｐ２では、ウォブル再生信号の一定していたウォブル周期が若干乱れるが、光ディスクの回転を１回転に１回あるいは多数回のウォブル周期の乱れに影響されずに制御することは困難なことではない。
このように、アドレス領域とデータ領域が兼用でき、ランドでもグルーブでもＣＬＶ回転制御情報及びアドレス情報が得られるので、データを高密度に記録再生することが可能になる。
【００３５】
【発明の効果】
以上のように、本発明は、データを記録するトラックがウォブルされて形成され、トラックの溝幅及び溝間幅は各々略一定であり、ウォブルは光ディスクを線速度一定で回転した時には、内周から外周にわたり略一定の周波数が得られるように形成されており、トラックは、光ディスクの１回転に１回、径方向に亘って配置されている全ての前記ウォブルの位相を揃えたものであり、あるいは、光ディスクの１回転に２回以上、径方向に亘って配置されている全ての前記ウォブルの位相を等角度間隔で揃えたものであるから、ウォブリング周波数に基いた回転制御を安定して行うことができ、エンコーダ等の高価な部品なしに、精密かつ高速なＣＬＶが可能になり、グルーブ走査でもランド走査でも確実にＣＬＶ回転制御を行うことができる光ディスク、及び、この光ディスクの原盤を製造する光ディスク原盤製造装置を提供することができる。
また、本発明は、前記したウォブルがウォブリングの周期より短い周期の多重化マークを、アドレス情報のデータビットの態様に応じて重畳してなるようにしたので、ランドでもグルーブでも回転制御情報とアドレス情報が安定して得られ、ランドにもグルーブにも高密度にデータを記録または再生することが可能な光ディスク、及び、この光ディスクの原盤を製造する光ディスク原盤製造装置、この光ディスクを記録再生する光ディスク記録再生装置、光ディスク記録再生方法を提供することができる。
【図面の簡単な説明】
【図１】本発明の光ディスクの構成を説明するための図である。
【図２】ウォブルの位相合わせを説明する図である。
【図３】ウォブルの位相合わせを説明する図である。
【図４】本発明の光ディスク原盤製造装置の構成を説明するための図である。
【図５】本発明の光ディスク記録再生装置の構成を説明するための図である。
【図６】ウォブリング生成回路の構成を示す図である。
【図７】ウォブリング生成回路の動作を説明するための波形図である。
【図８】２値化したウォブル再生信号を示す図である。
【図９】２値化したウォブル再生信号を示す図である。
【図１０】本発明の光ディスクの別の構成を説明するための図である。
【図１１】本発明の光ディスク原盤製造装置の別の構成を説明するための図である。
【符号の説明】
１  光ディスク
２，Ｇ  グルーブ
３，Ｌ  ランド
Ａ，Ｃ  光ディスク原盤製造装置
Ａ３  光偏向器（光偏向手段）
ＡＤ  原盤
Ｂ  光ディスク再生装置
Ｂ３  多重化マーク検出回路（第２の検出手段）
Ｂ４  同期信号検出回路（第１の検出手段）
Ｂ６  アドレス情報読取回路（アドレス情報読取手段）
Ｍ  多重化マーク
ｐ，ｐ１，ｐ２  位相合わせ箇所
ｗ  側壁
【図１】
0003931424.tif 000002
【図２】
0003931424.tif 000003
【図３】
0003931424.tif 000004
【図４】
0003931424.tif 000005
【図５】
0003931424.tif 000006
【図６】
0003931424.tif 000007
【図７】
0003931424.tif 000008
【図８】
0003931424.tif 000009
【図９】
0003931424.tif 000010
【図１０】
0003931424.tif 000011
【図１１】
0003931424.tif 000012